(57)【特許請求の範囲】
【請求項１】
互いに嵌合される雄雌一対のコネクタハウジングのうちの一方のコネクタハウジングにレバーが回動可能に軸支され、
該レバーは、各一端側に前記一方のコネクタハウジングに回動可能に軸支される回動支点部を有する一対のアームプレートと、該一対のアームプレートの他端同士を連結する連結バーとを備えた略コ字状をなし、
前記一対のアームプレートに、入口から奥端に向けて前記回動支点部からの距離が漸減する曲線形状をなすカム溝が設けられ、
前記一対のコネクタハウジングのうちの他方のコネクタハウジングの両外側面に、前記両アームプレートのカム溝とそれぞれ係合する係合ピンが突設され、
前記カム溝に前記係合ピンを係合させた状態で、前記レバーを回動操作することにより、前記カム溝と係合ピンの摺動によるカム作用によって、前記両コネクタハウジングの嵌合と離脱を助勢するレバー式コネクタにおいて、
前記アームプレートの先端部に、前記アームプレートの外側への撓みにより、前記他方のコネクタハウジングに設けられた突起部を乗り越えて、前記カム溝の入口に前記係合ピンを受け入れた状態で、前記突起部と仮係合し、それにより、該アームプレートを前記他方のコネクタハウジングに仮固定する仮係止凸部が設けられると共に、
前記アームプレートの前記仮係止凸部が設けられた側と前記回動支点部を挟んで反対側に、互いに内側に押圧変位させられることで、前記仮係止凸部を有したアームプレートの先端部を外側に開き、それにより、前記仮係止凸部の前記突起部に対する仮係合を解除する係合解除レバー部が延設されている
ことを特徴とするレバー式コネクタ。
【請求項２】
請求項１に記載のレバー式コネクタであって、
前記仮係止凸部が、前記アームプレートの先端部内面の前記カム溝の入口または該入口に隣接した位置に突設されており、
前記仮係止凸部の外側面に、前記両アームプレートを前記他方のコネクタハウジングに押し込むに従い、前記他方のコネクタハウジングの突起部と摺動して前記アームプレートを外側に撓ませる傾斜壁が設けられると共に、
前記仮係止凸部の内側面に、前記突起部が前記仮係止凸部を乗り越えた後に係止する係止壁が、前記アームプレートの前記他方のコネクタハウジングへの押し込み方向と略垂直な壁として設けられていることを特徴とするレバー式コネクタ。
【請求項３】
請求項１または２に記載のレバー式コネクタであって、
前記突起部が前記係合ピンであることを特徴とするレバー式コネクタ。
【請求項４】
請求項１〜３のいずれか１項に記載のレバー式コネクタであって、
前記係合解除レバー部の先端外面に滑り止めが設けられていることを特徴とするレバー式コネクタ。
【発明の詳細な説明】
【技術分野】
【０００１】
本発明は、レバーの回動操作により、小さい力で、雄雌コネクタハウジングを嵌合させたり離脱させたりすることのできるレバー式コネクタに関するものである。
【背景技術】
【０００２】
従来、多極コネクタのように高嵌合力が必要とされるコネクタの分野では、嵌合力を助勢するためのレバーを備えたレバー式コネクタが利用されている。
【０００３】
レバー式コネクタは、互いに嵌合する一方のコネクタハウジングに、カム溝を有するレバーを回動可能に設けると共に、他方のコネクタハウジングに、前記カム溝に係合する係合ピンを突設し、両ハウジングを初期嵌合させることにより、係合ピンをカム溝の入口に入り込ませ、その状態で引き続いて、レバーを回動操作することにより、係合ピンをカム溝の案内により移動させて、それにより、レバーによる梃子の作用を利用しながら、小さい力で、両ハウジングを本嵌合させるようにしたものである。
【０００４】
図４〜図７は、例えば、特許文献１に記載された従来のレバー式コネクタの一例を示す概略構成図であり、図４は係合ピン９５５がカム溝９４０に入り込む前の状態を示す側面図、図５は係合ピン９５５がカム溝９４０に入り込んだ嵌合初期の状態を示す側面図、図６はレバー９３０を回し始めた段階での状態を示す側面図、図７は終端位置までレバー９３０を回動させた嵌合終期の状態を示す側面図である。
【０００５】
このレバー式コネクタは、互いに嵌合される雄雌一対のコネクタハウジング９１０、９５０を有し、各コネクタハウジング９１０、９５０の端子キャビティには、それぞれ図示されない端子が収容されている。一方のコネクタハウジング９１０の外側面には、コネクタの嵌合操作を行うための断面コ字型のレバー９３０が取り付けられている。レバー９３０は、間隔をおいて対向する左右一対のアームプレート９３１、９３１と、これらアームプレート９３１を連結する連結バー（取っ手）９４９とを有し、各アームプレート９３１には、回動支点部となる軸孔９３２とカム溝９４０とが形成されている。
【０００６】
カム溝９４０は、軸孔９３２の周囲に所定の角度範囲にわたって形成されており、入口９４１から終端（奥端）まで、軸孔９３２の中心（回動中心）からの距離が漸減する曲線形状をなすように形成されている。一方のコネクタハウジング９１０の外側面には、軸孔９３２に回動可能に嵌合する支持軸９１２が突設され、その支持軸９１２に軸孔９３２を嵌合させることで、レバー９３０が、始端位置と終端位置の間で、支持軸９１２を中心に所定角度範囲で回動可能に装着されている。
【０００７】
また、相手側の他方のコネクタハウジング９５０の外側面には、レバー９３０のカム溝９４０に嵌合する係合ピン９５５が突設されている。いったん仮組みされた状態で、係合ピン９５５は、始端位置に装着されたレバー９３０のカム溝９４０の入口９４１の直前に位置するようになっている。
【０００８】
このコネクタを嵌合させる場合は、図４に示すように、始点位置にレバー９３０を位置させる。この状態にあるとき、図５に示すように、コネクタハウジング９１０とコネクタハウジング９５０を初期嵌合させることで、カム溝９４０の入口９４１に係合ピン９５５を挿入することができる。この状態から、連結バー９４９を掴んでレバー９３０を、図６、図７に示すように終端位置に向けて回動させると、係合ピン９５５が入口９４１からカム溝９４０内に入り込み、カム溝９４０と係合ピン９５５との間の摺動によるカム作用によって、コネクタハウジング９１０とコネクタハウジング９５０とが嵌合される。
【０００９】
そして、レバー９３０が終端位置まで回動された状態では、コネクタハウジング９１０、９５０同士が正規に嵌合されて、雌雄の端子金具同士が正規に接続される。また、両ハウジング９１０、９５０を離脱する場合には、レバー９３０を反対方向に回動させる。そうすると、カム溝９４０と係合ピン９５５との間の逆の梃子作用によって、両ハウジング９１０、９５０の嵌合を外すことができる。
【特許文献１】特開２００４−２４１１５７号公報
【発明の開示】
【発明が解決しようとする課題】
【００１０】
ところで、上述したコネクタでは、両コネクタハウジング９１０、９５０を嵌合させる前の状態で、両コネクタハウジング９１０、９５０を互いに仮固定しておくことまでは考えられていなかった。
【００１１】
従って、図５に示すように、両コネクタハウジング９１０、９５０をいったん仮組みした場合でも、何らかの外力が作用した場合には、容易に両コネクタハウジング９１０、９５０が外れてしまうことがあった。仮組みが外れてしまった場合には、コネクタを嵌合させる際に再び仮組みし直さなければならず、嵌合作業が面倒になるおそれがある。
【００１２】
そこで、本出願人は、両コネクタハウジングを嵌合させる前の段階で、一方のコネクタハウジングに装着したレバーの先端部と他方のコネクタハウジングとを仮係合させ、それにより、両コネクタハウジングを、レバーを回動させる前に仮固定しておくことを考え出した。
【００１３】
このようにすれば、仮組み状態でのコネクタハウジング同士の外れを防止することができるので、レバーの回動操作だけで、コネクタの嵌合と離脱を容易に行うことができる。以下、その内容を盛り込んだレバー式コネクタについて、図８〜図１１を参照しながら説明する。
【００１４】
図８はレバーだけの構成を示す正面図、図９（ａ）はレバーだけの構成を示す斜視図、図９（ｂ）は図９（ａ）のＩＸｂ矢視部の拡大図、図１０は一方のコネクタハウジングに装着したレバーのアームプレートの先端部を相手側の他方のコネクタハウジングの係合ピンに仮係合させようとしている途中の状態を示す正面図、図１１はアームプレートと係合ピンの仮係合が達成された状態を示す部分拡大図である。
【００１５】
図１０に示すように、このレバー式コネクタは、互いに嵌合される雄雌一対のコネクタハウジング２０、３０を有し、各コネクタハウジング２０、３０の端子キャビティには、それぞれ図示されない端子が収容されている。
【００１６】
一方のコネクタハウジング２０の外側面には、コネクタの嵌合操作を行うための断面コ字型のレバー１００が取り付けられている。レバー１００は、各一端側に一方のコネクタハウジング２０に回動可能に軸支される回動支点部１３を有する左右一対のアームプレート１２、１２と、該一対のアームプレート１２、１２の他端同士を連結する連結バー（取っ手）１１とを備えている。各アームプレート１２の回動支点部１３の中心には軸孔１４が設けられ、その軸孔１４の周囲にはカム溝１５が形成されている。
【００１７】
カム溝１５は、回動支点部１３の中心の軸孔１４の周囲に所定の角度範囲にわたって形成されており、入口１５ａから終端（奥端）１５ｂまで、軸孔１４の中心（回動中心）からの距離が漸減する曲線形状をなすように形成されている。
【００１８】
一方のコネクタハウジング２０の外側面には、軸孔１４に回動可能に嵌合する支持軸（図示略）が突設されており、その支持軸に軸孔１４を嵌合させることで、レバー１００が、始端位置と終端位置の間で、回動支点部１３を中心に所定角度範囲で回動可能に装着されている。
【００１９】
また、相手側の他方のコネクタハウジング３０の左右外側面には、レバー１００のカム溝１５に係合する係合ピン３１が突設されている。いったん仮組みされた状態で、係合ピン３１は、始端位置に装着されたレバー１００のカム溝１５の入口１５ａの直前に位置するようになっている。
【００２０】
また、このレバー式コネクタでは、レバー１００の両アームプレート１２の先端部内面に、図１０に示すように、アームプレート１２の外側への撓みにより、他方のコネクタハウジング３０に設けられた係合ピン（突起部）３１を乗り越えて、カム溝１５の入口１５ａに係合ピン３１を受け入れた状態で、係合ピン３１と仮係合し、それにより、アームプレート１２を他方のコネクタハウジング３０に仮固定する仮係止凸部１６が設けられている。
【００２１】
仮係止凸部１６は、図９（ｂ）、図１０に示すように、アームプレート１２の先端部内面のカム溝１５の入口１５ａに隣接した位置に突設されている。この場合、仮係止凸部１６の外側面に、両アームプレート１２を他方のコネクタハウジング３０に押し込むに従い、他方のコネクタハウジング３０の係合ピン３１と摺動してアームプレート１２を外側に撓ませる傾斜壁１６ｂが設けられ、仮係止凸部１６の内側面に、係合ピン３１が仮係止凸部１６を乗り越えた後に係止する係止壁１６ａが、アームプレート１２の他方のコネクタハウジング３０への押し込み方向と略垂直な壁として設けられている。
【００２２】
このコネクタを嵌合させる場合は、始点位置にレバー１００を位置させる。この状態にあるとき、一方のコネクタハウジング２０と他方のコネクタハウジング３０を初期嵌合させることで、カム溝１５の入口１５ａに係合ピン３１を挿入することができる。
【００２３】
その際、始点位置にあるレバー１００の両アームプレート１２を、相手側のコネクタハウジング３０に対して押し込むことにより、アームプレート１２の先端部を、相手側のコネクタハウジング３０に仮係合させることができ、その状態を保っておくことができる。
【００２４】
即ち、図１０に示すように、両アームプレート１２を相手側のコネクタハウジング３０に対して矢印Ｃの方向に押し込むと、アームプレート１２の先端部内面の仮係止凸部１６が相手側の他方のコネクタハウジング３０の係合ピン３１に当たる。更に押し込むと、係合ピン３１が仮係止凸部１６の傾斜壁１６ｂに摺動し、矢印Ｂで示すように、係合ピン１３がアームプレート１２を外側に撓ませながら、仮係止凸部１６を乗り越える（仮係止凸部１６が係合ピン１３を乗り越えると言うこともできる）。そして、乗り越えた後に、図１１に示すように、仮係止凸部１６の係止壁１６ａに係合ピン３１が係合することで、アームプレート１２の先端部が相手側の他方のコネクタハウジング３０に仮固定される。
【００２５】
このように仮固定が行われることで、一方のコネクタハウジング２０と他方のコネクタハウジング３０の初期嵌合状態が保持され、この状態で、カム溝１５の入口１５ａに係合ピン３１が受け入れられる。
【００２６】
従って、この状態から、連結バー１１を掴んでレバー１００を終端位置に向けて回動させることにより、カム溝１５と係合ピン３１の摺動によるカム作用によって、一方のコネクタハウジング２０と他方のコネクタハウジング３０とを嵌合させることができる。
【００２７】
そして、レバー１００が終端位置まで回動された状態では、コネクタハウジング２０、３０同士が正規に嵌合されて、雌雄の端子金具同士が正規に接続される。
【００２８】
また、両ハウジング２０、３０を離脱する場合には、レバー１００を反対方向に回動させる。そうすると、カム溝１５と係合ピン３１との間の逆のカム作用によって、両ハウジング２０、３０の嵌合を外すことができる。
【００２９】
このように、カム溝１５に係合ピン３１を係合させた状態で、レバー１００を回動操作することにより、カム溝１５と係合ピン３１の摺動によるカム作用によって、両コネクタハウジング２０、３０の嵌合と離脱を助勢することができ、小さな力でコネクタの嵌合および離脱を行うことができる。
【００３０】
また、このレバー式コネクタでは、カム溝１５の入口１５ａに係合ピン３１を受け入れた状態で、アームプレート１２の先端部を相手側のコネクタハウジング３０に仮固定しておくことができるので、いったん仮組みすると、コネクタハウジング２０、３０が不用意に外れなくなり、その仮組み状態からレバー１００を回動操作するだけで、カム溝１５と係合ピン３１の摺動によるカム作用によって、両コネクタハウジング２０、３０を容易に嵌合させることができる。
【００３１】
また、仮固定の際には、アームプレート１２の仮係止凸部１６が、相手コネクタハウジング３０の係合ピン３１を乗り越えて係止する（係合ピン３１が仮係止凸部１６を乗り越えて係止するとも言える）ので、作業者に節度感（クリック感）を与えることができ、仮組み状態が正しく行われたかどうかを作業者が容易に確認することができる。
【００３２】
ところで、上述のように、アームプレート１２を相手側のコネクタハウジング３０に仮固定する場合でも、その仮固定を外す必要が生じると考えられる。この場合、アームプレート１２が外側に撓んで、仮係止凸部１６が係合ピン３１を乗り越えることにより、仮固定状態が達成されるようになっているので、仮固定を解除する際には、人為的にアームプレート１２を外側に撓ませて、仮係止凸部１６と係合ピン３１の仮係合を解除しなければならない。この解除は、治具でアームプレート１２を外側に撓ませながら行うことが予想されるが、治具でアームプレート１２を外側に撓ませる場合、治具により、相手コネクタハウジング３０の係合ピン３１やレバー１００を傷つけてしまうおそれがある。
【００３３】
本発明は、上記事情を考慮し、アームプレートと相手側のコネクタハウジングの仮固定を、治具を使わずに簡単に外すことのできるレバー式コネクタを提供することを目的とする。
【課題を解決するための手段】
【００３４】
請求項１の発明のレバー式コネクタは、互いに嵌合される雄雌一対のコネクタハウジングのうちの一方のコネクタハウジングにレバーが回動可能に軸支され、該レバーは、各一端側に前記一方のコネクタハウジングに回動可能に軸支される回動支点部を有する一対のアームプレートと、該一対のアームプレートの他端同士を連結する連結バーとを備えた略コ字状をなし、前記一対のアームプレートに、入口から奥端に向けて前記回動支点部からの距離が漸減する曲線形状をなすカム溝が設けられ、前記一対のコネクタハウジングのうちの他方のコネクタハウジングの両外側面に、前記両アームプレートのカム溝とそれぞれ係合する係合ピンが突設され、前記カム溝に前記係合ピンを係合させた状態で、前記レバーを回動操作することにより、前記カム溝と係合ピンの摺動によるカム作用によって、前記両コネクタハウジングの嵌合と離脱を助勢するレバー式コネクタにおいて、前記アームプレートの先端部に、前記アームプレートの外側への撓みにより、前記他方のコネクタハウジングに設けられた突起部を乗り越えて、前記カム溝の入口に前記係合ピンを受け入れた状態で、前記突起部と仮係合し、それにより、該アームプレートを前記他方のコネクタハウジングに仮固定する仮係止凸部が設けられると共に、前記アームプレートの前記仮係止凸部が設けられた側と前記回動支点部を挟んで反対側に、互いに内側に押圧変位させられることで、前記仮係止凸部を有したアームプレートの先端部を外側に開き、それにより、前記仮係止凸部の前記突起部に対する仮係合を解除する係合解除レバー部が延設されていることを特徴としている。
【００３５】
請求項２の発明は、請求項１に記載のレバー式コネクタであって、前記仮係止凸部が、前記アームプレートの先端部内面の前記カム溝の入口または該入口に隣接した位置に突設されており、前記仮係止凸部の外側面に、前記両アームプレートを前記他方のコネクタハウジングに押し込むに従い、前記他方のコネクタハウジングの突起部と摺動して前記アームプレートを外側に撓ませる傾斜壁が設けられると共に、前記仮係止凸部の内側面に、前記突起部が前記仮係止凸部を乗り越えた後に係止する係止壁が、前記アームプレートの前記他方のコネクタハウジングへの押し込み方向と略垂直な壁として設けられていることを特徴としている。
【００３６】
請求項３の発明は、請求項１または２に記載のレバー式コネクタであって、前記突起部が前記係合ピンであることを特徴としている。
【００３７】
請求項４の発明は、請求項１〜３のいずれか１項に記載のレバー式コネクタであって、前記係合解除レバー部の先端外面に滑り止めが設けられていることを特徴としている。
【発明の効果】
【００３８】
請求項１の発明によれば、一方のコネクタハウジングに取り付けられたアームプレートの先端部に、他方のコネクタハウジングに設けられた突起部に仮係合する仮係止凸部を設けているので、他方のコネクタハウジングの突起部を乗り越えるように、レバーのアームプレートを他方のコネクタハウジングに向けて押し込むことで、アームプレートの先端部を、他方のコネクタハウジングに仮固定することができる。その際、アームプレートの仮係止凸部が相手コネクタハウジングの突起部を乗り越えて係止するので、作業者に節度感（クリック感）を与えることができる。
【００３９】
しかも、その状態で、アームプレートのカム溝の入口に、他方のコネクタハウジングの係合ピンが受け入れられるので、係合ピンとカム溝を摺動開始できる位置関係に保っておくことができる。従って、その仮固定の状態で、レバーを回動操作することにより、カム溝と係合ピンの摺動によるカム作用によって、両コネクタハウジングを嵌合させることができる。
【００４０】
また、アームプレートと相手コネクタハウジングの仮固定の状態を解除したい場合は、レバーに延設した両方の係合解除レバー部を内側に押圧操作する。そうすると、シーソーの原理により、アームプレートの回動支点部を支点にして、反対側のアームプレートの先端部が外側に開く。従って、アームプレートの先端部に設けた仮係止凸部を、相手コネクタハウジングの突起部に係止した位置から外側に引き離すことができ、突起部と仮係止凸部の仮係合を解除することができ、アームプレートと相手コネクタハウジングの仮固定を解除することができる。
【００４１】
この場合、治具を用いずに、素手で係合解除レバー部を内側に押圧するだけ、仮係合を解除することができるので、治具を使用することによる、コネクタハウジングやレバーに対する不用意な傷付けの問題を回避することができる。
【００４２】
また、仮係止凸部と係合解除レバー部は、レバーの回動支点部を挟んで互いに反対側に位置しているので、係合解除レバー部の押圧操作により、梃子の原理で、仮係止凸部を外側に容易に変位させることができる。従って、仮係止解除力を低くしながら、仮係止凸部による高い仮係止保持力を得ることが可能である。
【００４３】
請求項２の発明によれば、仮係止凸部に、外側面の傾斜壁と内側面の係止壁を設けているので、アームプレートを相手側のコネクタハウジングに向けて押し込むだけで、アームプレートを外側に撓ませながら、仮係止凸部を容易に相手側のコネクタハウジングの突起部に係合させることができる。
【００４４】
請求項３の発明によれば、突起部として係合ピンを利用するので、仮固定用に特別な突起部を設ける新たに必要がなく、構成の簡素化が図れる。
【００４５】
請求項４の発明によれば、係合解除レバー部の先端外面に滑り止めを設けているので、相手側のコネクタハウジングに対するアームプレートの仮固定を解除する際の操作を簡単確実に行うことができる。
【発明を実施するための最良の形態】
【００４６】
以下、本発明の実施形態を図面を参照しながら説明する。
【００４７】
図１は実施形態のレバー式コネクタに使用するレバーの構成を示す正面図、図２（ａ）は同レバーの構成を示す斜視図、図２（ｂ）は図２（ａ）のＩＩｂ矢視部の拡大図、図３はアームプレートの先端部の相手コネクタハウジングに対する仮固定を解除しようとしている途中の状態を示す正面図である。
【００４８】
図１に示すように、このレバー式コネクタは、互いに嵌合される雄雌一対のコネクタハウジング２０、３０を有し、各コネクタハウジング２０、３０の端子キャビティには、それぞれ図示されない端子が収容されている。
【００４９】
一方のコネクタハウジング２０の外側面には、コネクタの嵌合操作を行うための断面コ字型のレバー１０が取り付けられている。このレバー１０は、各一端側に一方のコネクタハウジング２０に回動可能に軸支される回動支点部１３を有する左右一対のアームプレート１２、１２と、該一対のアームプレート１２、１２の他端同士を連結する連結バー（取っ手）１１とを備えている。各アームプレート１２の回動支点部１３の中心には軸孔１４が設けられ、その軸孔１４の周囲にはカム溝１５が形成されている。
【００５０】
カム溝１５は、回動支点部１３の中心の軸孔１４の周囲に所定の角度範囲にわたって形成されており、入口１５ａから終端（奥端）１５ｂまで、軸孔１４の中心（回動中心）からの距離が漸減する曲線形状をなすように形成されている。
【００５１】
一方のコネクタハウジング２０の外側面には、軸孔１４に回動可能に嵌合する支持軸（図示略）が突設されており、その支持軸に軸孔１４を嵌合させることで、レバー１０が、始端位置と終端位置の間で、回動支点部１３を中心に所定角度範囲で回動可能に装着されている。
【００５２】
また、相手側の他方のコネクタハウジング３０の左右外側面には、レバー１０のカム溝１５に係合する係合ピン３１が突設されている。いったん仮組みされた状態で、係合ピン３１は、始端位置に装着されたレバー１００のカム溝１５の入口１５ａの直前に位置するようになっている。
【００５３】
また、このレバー式コネクタでは、レバー１０の両アームプレート１２の先端部内面に、アームプレート１２の外側への撓みにより、他方のコネクタハウジング３０に設けられた係合ピン（突起部）３１を乗り越えて、カム溝１５の入口１５ａに係合ピン３１を受け入れた状態で、係合ピン３１と仮係合し、それにより、アームプレート１２を他方のコネクタハウジング３０に仮固定する仮係止凸部１６が設けられている。
【００５４】
仮係止凸部１６は、アームプレート１２の先端部内面のカム溝１５の入口１５ａに隣接した位置に突設されている。この場合、仮係止凸部１６の外側面に、両アームプレート１２を他方のコネクタハウジング３０に押し込むに従い、他方のコネクタハウジング３０の係合ピン３１と摺動してアームプレート１２を外側に撓ませる傾斜壁１６ｂが設けられ、仮係止凸部１６の内側面に、係合ピン３１が仮係止凸部１６を乗り越えた後に係止する係止壁１６ａが、アームプレート１２の他方のコネクタハウジング３０への押し込み方向と略垂直な壁として設けられている。
【００５５】
また、アームプレート１２の仮係止凸部１６が設けられた側と回動支点部１３を挟んで反対側には、図３に示すように、互いに矢印Ａのように内側に押圧変位させられることで、仮係止凸部１６を有したアームプレート１２の先端部を矢印Ｂのように外側に開き、それにより、仮係止凸部１６の係合ピン３１に対する仮係合を解除する係合解除レバー部１８が延設されている。係合解除レバー部１８の先端外面には、手で摘む際に滑らないように滑り止め１８ａが設けられている。
【００５６】
このコネクタを嵌合させる場合は、始点位置にレバー１０を位置させる。この状態にあるとき、一方のコネクタハウジング２０と他方のコネクタハウジング３０を初期嵌合させることで、カム溝１５の入口１５ａに係合ピン３１を挿入することができる。
【００５７】
その際、始点位置にあるレバー１０の両アームプレート１２を、相手側のコネクタハウジング３０に対して押し込むことにより、アームプレート１２の先端部を、相手側のコネクタハウジング３０に仮係合させることができ、その状態を保っておくことができる。
【００５８】
即ち、両アームプレート１２を相手側のコネクタハウジング３０に対して押し込むと、アームプレート１２の先端部内面の仮係止凸部１６が相手側の他方のコネクタハウジング３０の係合ピン３１に当たる。更に押し込むと、係合ピン３１が仮係止凸部１６の傾斜壁１６ｂに摺動し、係合ピン１３がアームプレート１２を外側に撓ませながら、仮係止凸部１６を乗り越える（仮係止凸部１６が係合ピン１３を乗り越えると言うこともできる）。そして、乗り越えた後に、仮係止凸部１６の係止壁１６ａに係合ピン３１が係合することで、アームプレート１２の先端部が相手側の他方のコネクタハウジング３０に仮固定される。
【００５９】
このように仮固定が行われることで、一方のコネクタハウジング２０と他方のコネクタハウジング３０の初期嵌合状態が保持され、この状態で、カム溝１５の入口１５ａに係合ピン３１が受け入れられる。
【００６０】
従って、この状態から、連結バー１１を掴んでレバー１００を終端位置に向けて回動させることにより、カム溝１５と係合ピン３１の摺動によるカム作用によって、一方のコネクタハウジング２０と他方のコネクタハウジング３０とを嵌合させることができる。
【００６１】
そして、レバー１００が終端位置まで回動された状態では、コネクタハウジング２０、３０同士が正規に嵌合されて、雌雄の端子金具同士が正規に接続される。
【００６２】
また、両ハウジング２０、３０を離脱する場合には、レバー１００を反対方向に回動させる。そうすると、カム溝１５と係合ピン３１との間の逆のカム作用によって、両ハウジング２０、３０の嵌合を外すことができる。
【００６３】
このように、カム溝１５に係合ピン３１を係合させた状態で、レバー１００を回動操作することにより、カム溝１５と係合ピン３１の摺動によるカム作用によって、両コネクタハウジング２０、３０の嵌合と離脱を助勢することができ、小さな力でコネクタの嵌合および離脱を行うことができる。
【００６４】
また、このレバー式コネクタでは、カム溝１５の入口１５ａに係合ピン３１を受け入れた状態で、アームプレート１２の先端部を相手側のコネクタハウジング３０に仮固定しておくことができるので、いったん仮組みすると、コネクタハウジング２０、３０が不用意に外れなくなり、その仮組み状態からレバー１００を回動操作するだけで、カム溝１５と係合ピン３１の摺動によるカム作用によって、両コネクタハウジング２０、３０を容易に嵌合させることができる。
【００６５】
また、仮固定の際には、アームプレート１２の仮係止凸部１６が、相手コネクタハウジング３０の係合ピン３１を乗り越えて係止する（係合ピン３１が仮係止凸部１６を乗り越えて係止するとも言える）ので、作業者に節度感（クリック感）を与えることができ、仮組み状態が正しく行われたかどうかを作業者が容易に確認することができる。
【００６６】
また、アームプレート１２と相手コネクタハウジング３０の仮固定の状態を解除したい場合は、レバー１０に延設した両方の係合解除レバー部１８を図３中の矢印Ａのように内側に押圧操作する。そうすると、シーソーの原理により、アームプレート１２の回動支点部１３を支点にして、反対側のアームプレート１２の先端部が外側に開く。
【００６７】
従って、アームプレート１２の先端部に設けた仮係止凸部１６を、相手コネクタハウジング３０の係合ピン３１に係止した位置から外側に引き離すことができ、係合ピン３１と仮係止凸部１６の仮係合を解除することができ、アームプレート１２と相手コネクタハウジング３０の仮固定状態を解除することができる。
【００６８】
この場合、治具を用いずに、素手で係合解除レバー部１８を内側に押圧するだけ、仮係合を解除することができるので、治具を使用することによる、コネクタハウジング３０やレバー１０に対する不用意な傷付けの問題を回避することができる。
【００６９】
また、仮係止凸部１６と係合解除レバー部１８は、レバー１０の回動支点部１３を挟んで互いに反対側に位置しているので、係合解除レバー部１８の押圧操作により、梃子の原理で、仮係止凸部１６を外側に容易に変位させることができる。従って、仮係止解除力を低くしながら、仮係止凸部１６による高い仮係止保持力を得ることが可能である。
【００７０】
また、仮係止凸部１６には、外側面の傾斜壁１６ｂと内側面の係止壁１６ａを設けているので、アームプレート１２を相手側のコネクタハウジング３０に向けて押し込むだけで、アームプレート１２を外側に撓ませながら、仮係止凸部１６を容易に相手側のコネクタハウジング３０の係合ピン３１に係合させることができる。
【００７１】
また、係合解除レバー部１８の先端外面には滑り止め１８ａを設けているので、相手側のコネクタハウジング３０に対するアームプレート１２の仮固定を解除する際の操作を簡単確実に行うことができる。
【００７２】
また、このレバー式コネクタでは、アームプレート１２の仮係止凸部１６が仮係合する突起部として係合ピン３１を利用するようにしているので、仮固定用に特別な突起部を設ける新たに必要がなく、構成の簡素化が図れる。
【００７３】
なお、上記実施形態においては、アームプレート１２の仮係止凸部１６が係合する突起部として係合ピン３１を利用する場合を説明したが、仮係合用の突起部を係合ピン３１と別に設けても勿論よい。
【図面の簡単な説明】
【００７４】
【図１】本発明の実施形態のレバー式コネクタに使用するレバーの構成を示す正面図である。
【図２】（ａ）は同レバーの構成を示す斜視図、（ｂ）は（ａ）のＩＩｂ矢視部の拡大図である。
【図３】アームプレートの先端部の相手コネクタハウジングに対する仮固定を解除しようとしている途中の状態を示す正面図である。
【図４】従来のレバー式コネクタの例を示す図で、係合ピンがカム溝に入り込む前の状態を示す側面図である。
【図５】同コネクタにおいて、係合ピンがカム溝に入り込んだ嵌合初期の状態を示す側面図である。
【図６】同コネクタにおいて、レバーを回し始めた段階での状態を示す側面図である。
【図７】同コネクタにおいて、終端位置までレバーを回動させた嵌合終期の状態を示す側面図である。
【図８】改良案を盛り込んだレバー式コネクタのレバーだけの構成を示す正面図である。
【図９】（ａ）は同レバーだけの構成を示す斜視図、（ｂ）は（ａ）のＩＸｂ矢視部の拡大図である。
【図１０】同コネクタにおいて、一方のコネクタハウジングに装着したレバーのアームプレートの先端部を相手側の他方のコネクタハウジングの係合ピンに仮係合させようとしている途中の状態を示す正面図でる。
【図１１】同コネクタにおいて、アームプレートと係合ピンの仮係合が達成された状態を示す部分拡大図である。
【符号の説明】
【００７５】
１０  レバー
１１  連結バー
１２  アームプレート
１３  回動支点部
１５  カム溝
１５ａ  入口
１５ｂ  奥端
１６  仮係止凸部
１６ａ  係止壁
１６ｂ  傾斜壁
１８  係止解除レバー部
１８ａ  滑り止め
２０  一方のコネクタハウジング
３０  他方のコネクタハウジング
３１  係合ピン（突起部）
【図１】
0005117936.tif 000002
【図２】
0005117936.tif 000003
【図３】
0005117936.tif 000004
【図４】
0005117936.tif 000005
【図５】
0005117936.tif 000006
【図６】
0005117936.tif 000007
【図７】
0005117936.tif 000008
【図８】
0005117936.tif 000009
【図９】
0005117936.tif 000010
【図１０】
0005117936.tif 000011
【図１１】
0005117936.tif 000012